(57)【特許請求の範囲】
【請求項１】
矩形枠状の上部フレーム１１と、該上部フレーム１１の内側に複数本の内部フレーム１２と、前記上部フレーム１１の前部の下にキャスター４１が着設された前部脚フレーム１４と、前部脚補助フレーム１５と、前記上部フレーム１１の後部の下にキャスター４２が着設された後部脚フレーム１６と、後部脚補助フレーム１７とよりなるストレッチャー１００であって、
前記内部フレーム１２をまたいで前後方向にガイドカバー１３と、該ガイドカバー１３の下部にガイドレール２１と、該ガイドレール２１に前記上部フレーム１１を上下に変動させて任意の位置でガイドレールを締め付けて固定するメカロック機構よりなる摺動管２３、２４が嵌入された前部スライド機構と、後部脚フレーム１６の間のガイドレールに前記上部フレーム１１の後部を上下に変動させて任意の位置でガイドレールを締め付けて固定するメカロック機構よりなる摺動管４５が嵌入された後部スライド機構と、
前後のスライド機構を補助するために前記ガイドカバー１３の下部に定荷重バネ２７、２８、２９を設け、前記定荷重バネ２７、２８、２９より出たバネが固着された前記摺動管２３、２４、４５の左右の支持フレーム２５、２６、４７を介して、前記前部脚フレーム１４、前記前部脚補助フレーム１５、及び前記後部脚補助フレーム１７をそれぞれ着設して、前記上部フレーム１１の高さを任意の位置で固定することができることを特徴とするストレッチャー。
【請求項２】
矩形枠状の上部フレーム１１と、該上部フレーム１１の内側に複数本の内部フレーム１２と、前記上部フレーム１１の前部の下にキャスター４１が着設された前部脚フレーム１４と、前部脚補助フレーム１５と、前記上部フレーム１１の後部の下にキャスター４２が着設された後部脚フレーム１６と、後部脚補助フレーム１７とよりなるストレッチャー１００であって、
前記内部フレーム１２をまたいで前後方向にガイドカバー１３と、該ガイドカバー１３の下部にガイドレール２１、４６と、該ガイドレール２１、４６に前記上部フレーム１１を上下に変動させて任意の位置でガイドレールを締め付けて固定するメカロック機構よりなる摺動管２３、２４、４５が嵌入されたスライド機構と、該スライド機構を補助するために前記ガイドカバー１３の下部に定荷重バネ２７、２８、２９を設け、前記定荷重バネ２７、２８、２９より出たバネが固着された前記摺動管２３、２４、４５の左右の支持フレーム２５、２６、４７を介して、前記前部脚フレーム１４、前記前部脚補助フレーム１５、及び前記後部脚補助フレーム１７をそれぞれ着設して、前記上部フレーム１１の高さを任意の位置で固定することができることを特徴とするストレッチャー。
【請求項３】
ガイドカレール２１に嵌入された摺動管２３、２４、４５はガイドレール２１、３１の前後に着設されたレバー３４、５１とワイヤで連結されており、該レバー３４、５１の操作で上部フレーム１１の高さ調節ができることを特徴とする請求項１又は請求項２のいずれかに記載のストレッチャー。
【請求項４】
ストレッチャーを安定に操縦するために、前部キャスターが回動不能なキャスターであって、左右のキャスターのストッパーがパイプで連結されて連動していることを特徴とする請求項１から３の何れかに記載のストレッチャー。
【発明の詳細な説明】
技術分野
本発明は、病人、怪我人、患者の搬送、及び老人等を搬送するための救急用のストレッチャーに関する。
背景技術
ストレッチャーは上部に担架を載置して病人や怪我人を搬送するために用いられるものであり、特に患者が苦痛を訴えている場合には、僅かな振動でもその苦痛を増強してしまうものである。従来のストレッチャーの上下スライド方式はオイルバネのロック形式で、ロックするときはピンが孔に入ることによって所望の位置でロックされる。この方式は固定位置が段階的に限定されている上に、上下のスライドの際に、ピンが孔に入りにくいために固定に時間がかかったり、あるいは抜けにくかったり、ピンが途中で止まり誤作動によって急に下がってしまうなどのことにより、上下のスライドの際に、患者に苦痛と不安を与えることがある。
病人、怪我人はストレッチャー上の担架に乗せられるだけで強い不安と恐怖感を覚えるものである。このような不安と恐怖感を少しでも和らげるために、上下になめらかにスライドすると共に、どの位置でも固定できるストレッチャーの出現が望まれている。
本発明は、患者に苦痛や不安を与えずに、ストレッチャーの高さに限定されず、滑らかに上下に移動させることができる無段階ストッパー機構を備えたストレッチャーを提供するものである。
発明の開示
本発明は、上記課題を解決するために鋭意研究を重ねた結果、ストレッチャーの高さを任意の位置で固定することができ、滑らかに上下に移動させるためのスライド機構を無段階に停止する無段階ストッパー機構を採用した。その結果、摺動抵抗がなく任意の位置で固定することができるストレッチャーを創成することに成功し、上記課題を解決した。
本願発明の第１の特徴は、前部と後部にキャスターを有し、上部に担架を載置させるための上部フレームと、該上部フレームの位置を上下に変動させるためのスライド機構を備えたストレッチャーにおいて、前記スライド機構におけるスライドを無段階に停止させる無段階ストッパー機構を設けたことを特徴とするストレッチャーである。ストレッチャーの高さを上下に変動させるためのスライド方式と停止を無段階とすることにより、上下にスライドさせて、任意の位置で固定することができると共に、上下動の際に無用な振動を与えないことから、患者を苦痛と不安から解放することができる。
本願発明の第２の特徴は、スライド機構のスライドが定荷重バネの伸縮により行われることを特徴とするストレッチャーである。ストレッチャーの高さを上下に変動させるためのスライド機構に定荷重バネを利用することによって、上下動がなめらかになり、患者を上下動の際に感じる不安と苦痛から解放する効果がある。
本願発明の第３の特徴は、無段階ストッパー機構がメカロック機構より成ることを特徴とするストレッチャーである。ストレッチャーの高さを上下に変動させた場合の停止にメカロック機構を採用することによって、ピンを予め設けられた孔に挿入してロックする機構と異なり、停止、固定位置が限定されない。従来のようにピンが孔に入るときの振動による苦痛の増強、あるいはピンが孔に入らずに突然下がったりするような誤作動による危険性がない。
本願発明の第４の特徴は、前部キャスターが回動不能な固定キャスターであることを特徴とするストレッチャーである。前部キャスターを回動不能な固定キャスターにすることによってストレッチャーのふらつきがなくなり、安定に搬送することができる。
本願発明の第５の特徴は、前部左右の固定キャスターにストッパーが配設され、該ストッパーが左右連動していることを特徴とするストレッチャーである。前部キャスターが回動不能の固定キャスターであって、該左右のキャスターにストッパーが配設され、この左右のストッパーが連動している。このため、左右どちらか一方の前部固定キャスターのストッパーを足で踏めば、左右のキャスターを同時に固定することができ、ストレッチャーを安定に止めておくことができる。
本願発明の第６の特徴は、上部フレームの鍵状フックによって担架を固定することができることを特徴とするストレッチャーである。ストレッチャー上に担架を載置させた時上部フレームに設けられた鍵状フックによって、容易に固定、解除ができる。さらに、固定具を上部フレームの外側に設けたことによって、固定されたか否かが容易に確認でき、患者を乗せた担架をストレッチャーに固定し、安心して搬送することができる。
本発明の第７の特徴は、前部脚と後部脚の無段階ストッパー機構が上部フレームの下部に設けられていることを特徴とするストレッチャーである。前部脚と後部脚の無段階ストッパー機構を上部フレームの下部に設けることにより、ストッパー機構が外部に露出することなく、使用中に異物が引っかかる心配がなく、見た目も美しくなる。
発明を実施するための最良の形態
本発明の実施の形態を図面の符号に従って、以下に説明するが、本発明は以下の実施例に限定されるものではない。本発明において、ストレッチャーの前部とは救急車などに乗せる場合に、救急車に近い側を前部とし、救急車より遠い側を後部として記載している。従って、救急車から降ろしてストレッチャーを搬送する場合は、回動可能なキャスターを有する後部を進行方向に向けて搬送することになる。
実施例１
本発明ストレッチャー１００は、図１に示すように上部フレーム１１があり、上部フレーム１１は矩形枠状であり、その内側に複数本の内部フレーム１２が横架されている。これら各内部フレーム１２をまたいで前後方向にガイドカバー１３が載架されている。そして、上部フレーム１１の前部の下であって、回動不能な固定キャスター４１を有する前部脚フレーム１４と前部脚補助フレーム１５の上部に上部フレーム１１の前側の高さを上下に変動させるための前部スライド機構が設けられている。上部フレーム１１の後側の高さを上下に変動させるための後部スライド機構は、左右の回動可能なキャスター４２を有する後部脚フレーム１６の間に設けられたガイドレール４６に沿って後部脚補助フレーム１７がスライドすることにより、上部フレーム１１の後側の高さが上下に変動する。
本発明ストレッチャー１００の上面は図２に示すように、上部フレーム１１の両端に担架を固定するための鍵状フック６１が設けられ、上部フレーム１１の内側に４本の内部フレームが設けられ、その上にガイドカバー１３が載架されている。ガイドカバー１３の両端には摺動管２３，２４，４５のメカロック機構にワイヤー３３，５２で連結されたレバー３４，５１が着設されている。
上部フレーム１１の前側の高さを変動させるための前部スライド機構２０は図３の下面図に示すように、ガイドカバー１３の前方側下部の中央にガイドレール２１が配設されている。また、ガイドレール２１の左右には補助ガイドレール２２が着設されている。ガイドレール２１には前部脚補助フレーム１５と前部脚フレーム１４のための摺動管２３，２４が嵌入されている。摺動管２３，２４からは左右に支持フレーム２５，２６が着設されており、その支持フレーム２５，２６は補助ガイドレール２２の溝に遊動可能に着設されている。前方部の支持フレーム２５には前部脚補助フレーム１５が、中央よりの支持フレーム２６には前部脚フレーム１４のそれぞれの一方端が回動可能に着設されている。
ストレッチャー１００の前側を上下に変動させるため前部スライド機構には、スライドを補助するために定荷重バネ２７，２８がガイドカバー１３の前方部と中央よりの２カ所に固着されている。その定荷重バネ２７より出たバネ３１は前部脚補助フレーム１５の摺動管２３の上に固着されている。他方の定荷重バネ２８はガイドカバー１３の中央よりに固着されており、それより出たバネ３２が前部脚フレーム１４の摺動管２４の上に固着されている。
ここで用いられるバネは場所をとらずにその目的を達成できる渦巻きバネ等が好ましいが、ストレッチャーの上下動を補助するバネであれば通常用いられるコイルバネでもよい。定荷重バネを使用する場合は１０ｋｇ〜１５ｋｇ位が好ましいが、ストレッチャー１００の材質、構造などにより異なり特に限定されるものではない。しかし、定荷重バネは軽いと上下にスライドさせる際に、戻りが遅く、重すぎると上下動の際の戻りが早すぎて患者に無用な不安を与えるので適度な定荷重バネを用いることが望ましい。
ガイドレール２１に嵌入されている摺動管２３，２４はメカロック機構よりなり、通常はガイドレール２１を締め付けることによって、前部脚補助フレーム１５、及び前部脚フレーム１４の動きを固定している。摺動管２３，２４はワイヤー３３で上部フレーム１１の前方に設けられたレバー３４に連結されている。このレバー３４を引くと締め付けが解除されて前部脚補助フレーム１５、及び前部脚フレーム１４の摺動管２３，２４はガイドレール２１上を前後に摺動することが可能となる。ストレッチャー１００の高さを上下に変動させるためには、上部フレーム１１に設けられた前部のレバー３４を引くと摺動管２３，２４のメカロック機構５３が解除されて、ストレッチャー１００の上部フレーム１１の一端を軽く押さえるだけでストレッチャー１００の前側が下がり、任意の高さでレバー３４を放すとその位置に固定される。上げる場合は、レバー３４を引くと摺動管２３，２４のメカロック機構が解除され、定荷重バネ２７，２８によって前部脚フレーム１４と前部脚補助フレーム１５の摺動管２３，２４がガイドレール２１を摺動して、ストレッチャー１００を軽く上昇させることができる。レバー３４を放すと摺動管２３，２４のメカロック機構によりロックされて任意の高さで固定することができる。
一方端に回動可能なキャスター４２を有する後部脚フレーム１６は、図１に示すように、その他方端は上部フレーム１１の内側に設けられた内部フレーム１２に回動可能に着設されている。左右の後部脚フレーム１６の間には上部フレーム１１の高さを上下に変動させるための後部スライド機構が設けられている。後部スライド機構３０は後部脚フレーム１６の間に設けられた上下のサイドフレーム４３，４４の中央部から上下に摺動管４５が嵌入されたガイドレール４６が架設されている。ガイドレール４６に嵌入された摺動管４５には左右に支持フレーム４７が固着されており、この支持フレーム４７はガイドレール４６の左右に架設された補助ガイドレール４８に遊動可能に着設されて上下に移動する。摺動管４５は上部フレーム１１の後部に設けられたレバー５１とワイヤー５２で連結されており、レバー５１を引くと摺動管４５のメカロック機構が解除されて、摺動管４５はガイドレール４６に沿って上下に摺動可能となり上部フレーム１１の後側の高さを任意に変動させることができる。
後部脚補助フレーム１７の一方端は上部フレーム１１の内側に設けられた内部フレーム１２に回動可能に着設されている。他方端は前記左右の後部脚フレーム１６の間に設けられた支持フレーム４７に回動可能に着設されている。上部フレーム１１のレバー５１を引くと摺動管４５のメカロック機構が解除されて、上部フレーム１１を押さえると後部補助フレーム１７に着設されている摺動管４５がガイドレール４６を摺動して後部補助フレーム１７を下にスライドさせ、後部脚フレーム１６が後方に押されてストレッチャー１００の後部が下がる。上げる場合は、後部レバー５１を引くと摺動管４５のメカロック機構が解放されて、軽く上げることによってストレッチャー１００が上に引き戻される。レバー５１を放すとメカロック機構がロックされて任意の高さに固定することができる。
補助ガイドレール４８は後部脚補助フレーム１７のスライドをなめらかにすると共に、後部脚補助フレーム１７によってガイドレール４６が上から受ける荷重を分散して受け止める効果がある。本実施例では補助ガイドレール４８は角材に溝を設けて支持フレーム４７を遊動可能としているが、例えば、支持フレーム４７がパイプ内を遊動可能にするようにしてもよく、後部脚補助フレーム１７がなめらかに遊動して、後部脚補助フレーム１７によってガイドレール４６が受ける力を受け止められる強度と方法であれば本方法に限定されるものではない。。
後部脚フレーム１６と後部脚補助フレーム１７を上部フレーム１１の内側に回動可能に着設する方法は、上部フレーム１１に横架された内部フレーム１２に回動可能に着設してもよい。あるいは、上部フレーム１１に側板を設けて、この側板に後部脚フレーム１６、及び後部脚補助フレーム１７よりもやや小径のパイプを固着して、これに後部脚フレーム１６、後部脚補助フレーム１７を遊嵌して回動可能にしてもよく、又は、上部フレーム１１の適切な位置にベアリングを取り付けてこれに後部脚フレーム１６、後部脚補助フレーム１７を着設してもよく、後部脚フレーム１６、後部脚補助フレーム１７がスムーズに回動する方法であればいずれの方法でもよい。
上部フレーム１１の前方部には救急車にスムーズに乗せるため、図１に示すように補助キャスター５３が配設されている。また前部脚フレーム１４に設けられているキャスター４１は回動不能な固定キャスターとし、左右のキャスター４１のストッパー５４をパイプ５５で連結して片方のストッパーペタル５６を踏めば他方のストッパー５４も掛かるようにした。この結果、前部固定キャスターの左右どちらかのストッパーペタル５６を踏めば、前部キャスター４１は両輪共に同時に固定される。ストッパー５４の連動は左右のストッパー５４をパイプ５５で連結する方法に限らず、例えば、ワイヤーであってもよく、左右のキャスター４１が同時に固定される方法であればいずれの方法であっても良い。
上部フレーム１１の長さ方向の両側には担架２００を固定する鍵フック６１が配設されている。鍵フック６１は通常下向きに配設されているが、担架２００を載置して固定する場合は、図４に示すように、鍵フック６１を上方に回転させて担架２００の上部フレーム７１の両側に掛止させてピン６２（図１）で固定する。
ピンは鍵状フック６１を担架２００の上部フレーム７１に掛止すると、上部フレーム１１に予め設けられていた孔にバネ作用でピン６２が係合し、鍵状フック６２を固定する。鍵状フック６１をはずす場合は、ピン６２の頭部を引き上げるとバネが縮みピン６２を孔から容易に引き抜くことができ、鍵状フック６１の掛止を解除することができる。
担架２００をストレッチャー１００の上部に固定する方法は本方法のパイプで形成された鍵状フック６１に限定されず、板状に形成された鍵状フック等でもよく、又、長さ方向の両端ではなく横方向の両側の適当な位置に、１から数カ所設けてもよく、あるいはストレッチャー１００上に溝を設けて嵌合する方法でもよい。ストレッチャー１００を必要とする場合は、緊急を要するのでストレッチャー１００上の担架２００を素早く強固に固定できる方法であればいずれの方法であってもよい。鍵状フックの固定方法は上記のように予め設けられた孔にピンを係合させる方法の他、鍵状フックの下部にネジを巻き締めて固定する方法を着設して鍵状フックを固定する方法が例示できるが、鍵状フックを容易に強固に固定、解除ができる方法であればよく、本方法に限定されるものではない。
患者をベッドなどに移す場合は、ベッドの高さを調節するためにストレッチャー１００の前後のレバー３４，５１を引き、上部フレーム１１の前後を軽く押さえてベッドの高さにあわせてから、レバー３４，５１を放せばその位置で固定される。脚部を折り畳むときは上部フレーム１１に設けられた前後のレバー３４，５１を引き、上部フレーム１１の前後を上から軽く押さえることにより、図５に示すように容易に折り畳むことができる。また、救急車などにストレッチャーを移す場合は、前部の補助キャスター５３を救急車の後部に乗せてストレッチャー１００を押していくと、前部脚フレーム１５が後方に押されて図６に示すように、前部脚フレーム１５は後方に折り畳まれて、容易に救急車に載置することができる。
ストレッチャーの前後のスライド機構に定荷重バネとメカロック機構を用いることにより、無段階に上下のスライドを可能とすると共に、いずれの高さにおいても固定可能となった。ストレッチャーの上下のスライドはスムーズにスライドし、振動を与えたり、誤作動によってストレッチャーが急に下がることもなく、病人やけが人に無用な不安感や、恐怖感を与えることがないストレッチャーを提供する。また、前部キャスターを回動不能な固定キャスターとすることにより、ストレッチャーを安定に操縦することができる。さらに、前部固定キャスターの左右のストッパーを連動させることによって、片方のストッパーを踏めば、左右のキャスターが一度に固定することができる。ストレッチャーの固定に鍵状フックを着設することにより、ストレッチャーに担架を簡単に固定することができると共に、固定用の鍵状フックを外部に着設することにより、担架が固定されているか否かの確認が容易にできる。
実施例２
本発明ストレッチャー３００は、図７に示すように上部フレーム１１があり、上部フレーム１１は矩形枠状であり、その内側に複数本の内部フレーム１２が横架されている。これら各内部フレーム１２をまたいで前後方向にガイドカバー１３が載架されている。そして、上部フレーム１１の前部の下側であって、回動不能な固定キャスター４１を有する前部脚フレーム１４と前部脚補助フレーム１５の上部に上部フレーム１１の前側の高さを上下に変動させるための前部スライド機構２０が設けられている。上部フレーム１１の後側の高さを上下に変動させるための後部スライド機構３０は、前部スライド機構２０と並列して上部フレーム１１の下側で、後部脚補助フレーム１７の上側に設けられている。
救急車に載置する場合のストレッチャー３００の折たたみ形態は、図８に示すように、固定キャスター４１を有する前部脚フレーム１４を救急車などに押し込んでいくと、前部脚フレーム１４は救急車の後部架台で後方に押しやられて、ストレッチャー３００の前部脚フレーム１４が後方に折たたまれて、固定キャスター４１も回動可能な後部脚キャスター４２も後方に折たたまれる。この場合の前部スライド機構２０は図９に示すように、前部脚補助フレーム１５のメカロック機構は前部脚フレーム１４のメカロック機構と共に中央よりＡの位置で挟持される。両側のレバー３４，５１を引いて、ストレッチャー３００を押し下げると図１０に示すように、前後のキャスター４１，４２はそれぞれストレッチャー３００の前後に配置されて折たたまれる。この場合の前部脚補助フレーム１５のメカロック機構は図９に示すＢの位置で挟持される。
後部脚補助フレーム１７の後部スライド機構３０は図１１に示すように、上部フレーム１１の後方下側に配設されている。後部脚フレーム１６を折たたむと後部脚補助フレーム１７に摺動可能に固設されたメカロック機構は後方に押しやられて、後部脚フレーム１６を折たたむことができるようになっている。
更に詳細に説明すると、本発明ストレッチャー３００の上面は図１２に示すように、上部フレーム１１の両端に担架を固定するための鍵状フック６１が設けられ、上部フレーム１１の内側に４本の内部フレームが設けられ、その上にガイドカバー１３が載架されている。ガイドカバー１３の両端には摺動管２３，２４，４５のメカロック機構にワイヤー３３，５２で連結されたレバー３４，５１が着設されている。
上部フレーム１１の前側の高さを変動させるための前部スライド機構２０は図９の下面図に示すように、ガイドカバー１３の前方側下部の中央にガイドレール２１、３１が配設されている。また、ガイドレール２１、３１の左右には補助ガイドレール２２が着設されている。ガイドレール２１、３１には前部脚補助フレーム１５と前部脚フレーム１４のための摺動管２３，２４が嵌入されている。摺動管２３，２４からは左右に支持フレーム２５，２６が着設されており、その支持フレーム２５，２６は補助ガイドレール２２の溝に遊動可能に着設されている。前方部の支持フレーム２５には前部脚補助フレーム１５が、中央よりの支持フレーム２６には前部脚フレーム１４のそれぞれの一方端が回動可能に着設されている。
ストレッチャー３００の前側を上下に変動させるため前部スライド機構２０には、スライドを補助するために定荷重バネ２７，２８がガイドカバー１３の前方部と中央よりの２カ所に固着されている。その定荷重バネ２７より出たバネ３１は前部脚補助フレーム１５の摺動管２３の上に固着されている。他方の定荷重バネ２８はガイドカバー１３の中央よりに固着されており、それより出たバネ３２が前部脚フレーム１４の摺動管２４の上に固着されている。
ここで用いられるバネは場所をとらずにその目的を達成できる渦巻きバネ等が好ましいが、ストレッチャーの上下動を補助するバネであれば通常用いられるコイルバネでもよい。定荷重バネを使用する場合は５ｋｇ〜１５ｋｇ位が好ましいが、ストレッチャー３００の材質、構造などにより異なり特に限定されるものではない。しかし、定荷重バネは軽いと上下にスライドさせる際に、戻りが遅く、重すぎると上下動の際の戻りが早すぎて患者に無用な不安を与えるので適度な定荷重バネを用いることが望ましい。
ガイドレール２１、４６に嵌入されている摺動管２３，２４はメカロック機構よりなり、通常はガイドレール２１、４６を締め付けることによって、前部脚補助フレーム１５、及び前部脚フレーム１４の動きを固定している。摺動管２３，２４はワイヤー３３で上部フレーム１１の前方に設けられたレバー３４に連結されている。このレバー３４を引くと締め付けが解除されて前部脚補助フレーム１５、及び前部脚フレーム１４の摺動管２３，２４はガイドレール２１上を前後に摺動することが可能となる。ストレッチャー３００の高さを上下に変動させるためには、上部フレーム１１に設けられた前部のレバー３４を引くと摺動管２３，２４のメカロック機構が解除されて、ストレッチャー３００の上部フレーム１１の一端を軽く押さえるだけでストレッチャー３００の前側が下がり、任意の高さでレバー３４を放すとその位置に固定される。上げる場合は、レバー３４を引くと摺動管２３，２４のメカロック機構が解除され、定荷重バネ２７，２８によって前部脚フレーム１４と前部脚補助フレーム１５の摺動管２３，２４がガイドレール２１、３１を摺動して、ストレッチャー３００を軽く上昇させることができる。レバー３４を放すと摺動管２３，２４のメカロック機構によりロックされて任意の高さで固定することができる。
一方端に回動可能な後部キャスター４２を有する後部脚フレーム１６は、図１１に示すように、その他方端は上部フレーム１１の内側に設けられた内部フレーム１２に回動可能に着設されている。左右の後部脚フレーム１６の上部で上部フレーム１１下には、後側の上部フレーム１１の高さを上下に変動させるための後部スライド機構３０が設けられている。後部スライド機構３０は上部フレーム１１の下に、後部脚フレーム１６に摺動管４５が嵌入されたガイドレール４６が架設されている。ガイドレール４６に嵌入された摺動管４５には左右に支持フレーム４７が固着されており、この支持フレーム４７はガイドレール４６の左右に架設された補助ガイドレール２２に遊動可能に着設されて前後に移動する。摺動管４５は上部フレーム１１の後部に設けられたレバー５１とワイヤー５２で連結されており、レバー５１を引くと摺動管４５のメカロック機構が解除されて、摺動管４５はガイドレール４６に沿って前後に摺動可能となり上部フレーム１１の後側の高さを任意に変動させることができる。
上部フレーム１１のレバー５１を引くと摺動管４５のメカロック機構が解除されて、上部フレーム１１を押さえると後部補助フレーム１７に着設されている摺動管４５がガイドレール４６を摺動して後部補助フレーム１７を後方にスライドさせ、後部脚フレーム１６が後方に押されてストレッチャー３００の後部が下がる。上げる場合は、後部レバー５１を引くと摺動管４５のメカロック機構が解放されて、軽く上げることによってストレッチャー３００が上に引き戻され、後部脚が立ち上がってくる。レバー５１を放すとメカロック機構がロックされて任意の高さに固定することができる。
折たたんだ際に、後部脚フレーム１６、及び前部脚補助フレーム１５の接地する面、すなわち、図８、図１０、図１１に示すように後部脚フレーム１６、前部脚補助フレーム１５の接地する面に、弾力性のあるゴム部材１５ａ，１６ａを貼設することによって、後部脚フレーム１５、前部脚補助フレーム１６の接地する部分を保護するのみならず、患者への衝撃を減少させ、救急車の架台を保護するなどの作用がある。この部分に貼設するゴム部材１５ａ，１６ａは、合成ゴム、合成樹脂板など耐久性と弾力性があればよく、ゴムに限定されるものではない。また、救急車の架台に載置するとき、滑りやすくするためにゴム部材１５ａ，１６ａの上に更に合成樹脂板を貼設してもよい。このように、後部脚フレーム、前部脚補助フレームの接地する面に、弾力性のあるゴム部材を貼設することによって、後部脚フレーム、前部脚補助フレームの接地する部分を保護するのみならず、患者への衝撃を減少させ、救急車の架台を保護するなどの作用がある。
産業上の利用可能性
以上のように、本発明にかかるストレッチャーは、救急車に積載する場合も、レバーを握って押すだけで、容易に載置することができる。さらに、患者を乗せて上下動をさせても振動がなく、患者に不安と、苦痛を与えなず、救急車に載置するのに適している。
【図面の簡単な説明】
図１は後部脚フレームにスライド機構を設けたストレッチャー１００の斜視図である。
図２は後部脚フレームにスライド機構を設けたストレッチャー１００の下面図である。
図３は後部脚フレームにスライド機構を設けたストレッチャー１００の上面図である。
図４はストレッチャー１００に担架を乗せた側面図である
図５は前部脚フレームを前方に折り畳んだ側面図である。
図６は前部脚フレームを後方に折り畳んだ側面図である。
図７はスライド機構を上部フレームの下部に設けたストレッチャー３００の斜視図である。
図８はストレッチャー３００の脚部を後方に折り畳んだ側面図である。
図９はストレッチャー３００の前部のスライド機構の上面図である。
図１０はストレッチャー３００の脚部を前後に折り畳んだ側面図である。
図１１はストレッチャー３００の後部のスライド機構の上面図である。
図１２は上部フレームの下にスライド機構を設けたストレッチャー３００の上面図である。
【図１】
0004085321.tif 000002
【図２】
0004085321.tif 000003
【図３】
0004085321.tif 000004
【図４】
0004085321.tif 000005
【図５】
0004085321.tif 000006
【図６】
0004085321.tif 000007
【図７】
0004085321.tif 000008
【図８】
0004085321.tif 000009
【図９】
0004085321.tif 000010
【図１０】
0004085321.tif 000011
【図１１】
0004085321.tif 000012
【図１２】
0004085321.tif 000013